(57)【特許請求の範囲】
【請求項１】
温度調節の操作を受け付ける温調ハンドルと、前記温調ハンドルの操作により湯水の温度を調整する制御弁機構と、前記制御弁機構が収容されると共に、湯流入口および水流入口が形成されたケーシングとを備えた本体部とを有し、
前記制御弁機構が、
ばね定数が一定の材質の素材よりなるバイアスバネと、
温度変化に応じて伸縮作動する感温バネと、
前記バイアスバネおよび前記感温バネから受ける荷重のバランスにより、前記湯流入口および前記水流入口の開閉割合を変化させる制御弁体と、
を備えた湯水混合栓であって、
吐出温度の基準温度の基点を示す突起が前記温調ハンドルの周面に設けられ、
前記突起が、前記本体部が取り付けられる壁面から最も離れた位置にある場合に、吐出温度が基準温度とされ、
前記突起を、前記本体部が取り付けられる壁面から最も離れた位置から一方側に１００度以下回動することによって、前記制御弁体が前記湯流入口を完全に開き、かつ、他方側に１００度以下回動することによって、前記制御弁体が前記湯流入口を完全に閉じ、
更には、水流入口に供給される水の温度を２０℃、湯流入口に供給される湯の温度を５０℃とした際、
３８〜４２℃の吐水温度領域における、前記温調ハンドルの回動角度に対する、温度上昇率の最大値が、２０℃〜３８℃未満の吐水温度領域における前記温調ハンドルの回動角度に対する温度上昇率の最大値よりも小さく、回動角度１度で０．２℃／度以下であることを特徴とする湯水混合栓。
【請求項２】
前記温調ハンドルは、前記制御弁体が前記湯流入口を完全に閉じた状態で更に少なくとも２０度回動し、かつ、前記制御弁体が前記湯流入口を完全に開いた状態で更に少なくとも２０度回動することを特徴とする請求項１記載の湯水混合栓。
【請求項３】
前記温調ハンドルの回動域が２４０度以下であることを特徴とする請求項１または請求項２に記載の湯水混合栓。
【発明の詳細な説明】
【技術分野】
【０００１】
本発明は、湯水混合栓の技術に関し、特に温調ハンドルの回動域を小さく設定した湯水混合栓に関する。
【背景技術】
【０００２】
従来から、温度によりばね定数が変化する形状記憶合金製ばね（以下、感温バネという）により、湯と水との混合比を変化させる制御弁体を付勢することで、混合水の温度を制御する湯水混合栓が用いられている。このような湯水混合栓は、例えば、特許文献１に開示されている。
【０００３】
特許文献１に開示されている湯水混合栓の基本的構成を図４に基づいて説明する。
湯水混合栓１００は、外筺となる筒状に形成したケース１０１内に、ケーシング１０２がカートリッジ状に組み込まれている。このケーシング１０２の周壁には、湯流入口Ｈと水流入口Ｃとが軸方向に並列に設けられている。
また、前記湯流入口Ｈと水流入口Ｃの内面側に、湯弁座１０３と水弁座１０４が軸方向に並列に、かつ軸線に対して互いに向き合うように形成されている。
【０００４】
また前記ケーシング１０２内には、前記湯弁座１０３と水弁座１０４とにそれぞれ対向する湯弁１０５と水弁１０６とを軸方向に備える筒状の制御弁体１０７が設けられている。
この制御弁体１０７は、ケーシング１０２に支承せしめた感温バネ１０８の先端側に当接している。また前記制御弁体１０７には、バイアスバネ１１０の他端が当接している。このバイアスバネ１１０の一端は、調整ネジ１１１に取り付けられた支持シャフト１０９のフランジ１０９ａの一端に当接している。
即ち、この制御弁体１０７は、前記感温バネ１０８とバイアスバネ１１０とのバネの釣り合いにより、軸方向に移動可能に構成されている。
【０００５】
ところで、前記湯水混合栓１００から導出される混合水の温度設定は、使用者が温調ハンドル１１２を回動させることにより行われる。この温調ハンドル１１２は回転軸１１３に取り付けられており、回転軸１１３が回動することにより、支持シャフト１０９が一端に取り付けられた調整ネジ１１１を軸方向（図４の左方）に移動させる。即ち、調整ネジ１１１が軸方向（図４の左方）に移動することにより、支持シャフト１０９も軸方向（図４の左方）に移動し、バイアスバネ１１０が伸長する。
その結果、この制御弁体１０７も軸方向（図４の左方）に移動し、湯弁１０５と水弁１０６は所定の開度になされ、混合水の温度が所定温度（設定温度）になされ、吐出口Ｍから所定温度の混合水が導出される。
【０００６】
そして、湯流入口Ｈと水流入口Ｃとから流入する湯量と水量が変化し、混合水に温度変化が生じると、その温度変化を感温バネ１０８が感知し、その感温バネ１０８のばね定数が、温度変化に応じて変化する。
この感温バネ１０８のばね定数が変化することによって（バイアスバネ１１０のばね定数は一定）、制御弁体１０７（湯弁１０５と水弁１０６）は軸方向に移動し、湯流入口Ｈと水流入口Ｃとから流入する湯量と水量との制御が行われ、混合水の温度が設定温度に維持される。
【先行技術文献】
【特許文献】
【０００７】
【特許文献１】特開２０１１−０２７２６４号公報
【発明の概要】
【発明が解決しようとする課題】
【０００８】
ところで、前記温調ハンドル１１２は、図５に示すように、一般的に用いられる温度４０℃を基準点Ｐ（温調ハンドル１１２の回動角度０度）として、一方側（ＨＯＴ側）に回すことにより混合水の温度がより高く、他方側（ＣＯＬＤ側）に回すことにより、混合水の温度がより低くなる。
尚、前記温調ハンドル１１２には、突起１１２ａが設けられ、例えば、温度４０℃の基準点Ｐを示している。また、使用者は前記突起１１２ａに指を掛けて、温調ハンドル１１２を操作する。
【０００９】
そして、例えば、一方側に、温調ハンドル１１２を約１７０度回動させ、温度４０℃より高い５０℃の湯（湯水混合栓に供給される湯）を導出する。また、２０℃〜５０℃の温度の水〜湯を導出する場合には、温度４０℃を基準点Ｐ（温調ハンドル１１２の回動角度０度）として、温調ハンドル１１２を他方側に約１７０度回動させ、温度４０℃より低い２０℃の水（湯水混合栓に供給される水）を導出する。
即ち、湯水混合栓からは、温調ハンドル１１２を約３４０度回動させることにより、例えば、２０℃〜５０℃の温度の温水が得られるように、設定することができるように構成されている。
【００１０】
しかしながら、例えば図６に示すように、浴槽、洗面台等において壁面１１４等が邪魔し、温調ハンドル１１２を約３４０度回動させることが困難な場合があり、前記湯水混合栓が設置できないという技術的課題があった。
また、温調ハンドル１１２の小さな角度の回動で、２０℃〜５０℃の温度の温水が得られるように構成した場合、僅かな回転で温度変化が生じる。そのため、温調ハンドル１１２を操作した際に、混合水の温度が急激に高温もしくは低温になるという技術的課題があった。
【００１１】
本発明者らは、上記技術的課題を解決するにあたって、従来の湯水混合栓の基本的構成を変えることなく、構成する部品の一部を交換することによって、上記技術的課題を解決することを前提とした。即ち、湯水混合栓の基本的構成を変更することは、形状寸法が変わることにより、湯水混合栓を構成する部品を全て新規なものとする必要があり、製造コストが増大するという弊害が生じるためである。
また、温調ハンドル１１２の回動角度を小さくした際に生じる、僅かな角度で混合水の温度が急激に高温もしくは低温になるという新たな課題について、従来と同様な温度変化となるように、鋭意研究し、本発明を完成するに至った。
【００１２】
本発明は、上記技術的課題を解決するためになされたものであり、温調ハンドルの回動角度を極力小さくすると共に、混合水の温度の急激な温度上昇もしくは下降を抑制した湯水混合栓を提供することを目的とする。
【課題を解決するための手段】
【００１３】
上記課題を解決するための本発明に係る湯水混合栓は、温度調節の操作を受け付ける温調ハンドルと、前記温調ハンドルの操作により湯水の温度を調整する制御弁機構と、前記制御弁機構が収容されると共に、湯流入口および水流入口が形成されたケーシングとを備えた本体部とを有し、前記制御弁機構が、ばね定数が一定の材質の素材よりなるバイアスバネと、温度変化に応じて伸縮作動する感温バネと、前記バイアスバネおよび前記感温バネから受ける荷重のバランスにより、前記湯流入口および前記水流入口の開閉割合を変化させる制御弁体と、を備えた湯水混合栓であって、吐出温度の基準温度の基点を示す突起が前記温調ハンドルの周面に設けられ、前記突起が、前記本体部が取り付けられる壁面から最も離れた位置にある場合に、吐出温度が基準温度とされ、前記突起を、前記本体部が取り付けられる壁面から最も離れた位置から一方側に１００度以下回動することによって、前記制御弁体が前記湯流入口を完全に開き、かつ、他方側に１００度以下回動することによって、前記制御弁体が前記湯流入口を完全に閉じ、更には、水流入口に供給される水の温度を２０℃、湯流入口に供給される湯の温度を５０℃とした際、３８〜４２℃の吐水温度領域における、前記温調ハンドルの回動角度に対する、温度上昇率の最大値が、２０℃〜３８℃未満の吐水温度領域における前記温調ハンドルの回動角度に対する温度上昇率の最大値よりも小さく、回動角度１度で０．２℃／度以下であることを特徴としている。
【００１４】
このように、前記温調ハンドルが、基準温度を基点として一方側に１００度以下回動することによって、前記制御弁体が前記湯流入口を完全に開く、かつ、他方側に１００度以下回動することによって、前記制御弁体７が前記湯流入口を完全に閉じるように構成されているため、温調ハンドルの回動域を小さくすることができ、前記湯水混合栓の設置場所などの制約を少なくすることができる。
また、前記温調ハンドルの回動角度に対する、温度上昇率の最大値が回動角度１度で０．２℃／度以下（３８〜４２℃の吐水温度領域）になるように構成されているため、温調ハンドルを操作した際にも、急激な混合水の温度上昇を抑制することができる。
尚、好ましくは、前記温調ハンドルが、基準温度を基点として一方側に９０度以下回動することによって、前記制御弁体が前記湯流入口を完全に開き、かつ、他方側に９０度以下回動することによって、前記制御弁体が前記湯流入口を完全に閉じるように構成するのが良い。
【００１７】
ここで、前記温調ハンドルは、前記制御弁体が前記湯流入口を完全に閉じた状態で更に少なくとも２０度回動し、かつ、前記制御弁体が前記湯流入口を完全に開いた状態で更に少なくとも２０度回動することが望ましい。
このように、最低温度状態と最高温度状態を維持する領域として、温調ハンドルは少なくとも各２０度を有している。
そのため、前記温調ハンドルを回動させた際、急激な温度上昇あるいは急激な温度下降がなく、使用し易く、操作も容易である。
【００１８】
また、前記温調ハンドルの回動域が２４０度以下であることが望ましい。前記温調ハンドルの回動域が２４０度を越えると、湯水混合栓の設置場所の制約を受けるため、好ましくない。
【発明の効果】
【００１９】
このように、本発明によれば、温調ハンドルの回動角度を極力小さくすると共に、混合水の温度の急激な温度上昇もしくは下降を抑制した湯水混合栓を得ることができる。
【図面の簡単な説明】
【００２０】
【図１】本発明にかかる湯水混合栓の一実施形態を示す断面図である。
【図２】本発明にかかる一実施形態の温調ハンドルの回動域を示す概略図である。
【図３】本発明にかかる一実施形態の温調ハンドルの回動角度と、混合水温度の関係を示す図である。
【図４】従来の湯水混合栓を示す断面図である。
【図５】従来の湯水混合栓の温調ハンドルの回動域を示す概略図である。
【図６】従来の湯水混合栓の温調ハンドルの回動域と壁面との関係を示す概略図である。
【発明を実施するための形態】
【００２１】
以下、本発明にかかる湯水混合栓の一実施形態について図１乃至図３に基づいて説明する。
図１に示すように、湯水混合栓１は、外筺となる筒状に形成したケース（図示せず）内に、ケーシング２がカートリッジ状に組み込まれている。このケーシング２の周壁には、湯流入口Ｈと水流入口Ｃとが軸方向に並列に設けられている。
また、前記湯流入口Ｈと水流入口Ｃの内面側に、湯流入口Ｈおよび水流入口Ｃの開閉割合を変化させる湯弁座３と水弁座４が軸方向に並列に、かつ軸線に対して互いに向き合うように形成されている。
【００２２】
また前記ケーシング２内には、前記湯弁座３と水弁座４とにそれぞれ対向する湯弁５と水弁６とを軸方向に備える筒状の制御弁体７が設けられている。
前記湯弁５と水弁６は、前記制御弁体７の筒状部７ａの外周面に形成され、制御弁体７の筒状部７ａの外側底面は、ケーシング２に支承せしめた感温バネ８の端部が当接している。
また前記制御弁体７の筒状部７ａの内側底面は、バイアスバネ９の一端が当接している。このバイアスバネ９の他端は、支持シャフト１０に形成された第１のフランジ１０ａに当接している。
即ち、この制御弁体７は、前記感温バネ８とバイアスバネ９との釣り合いにより、軸方向（図１の左右方向）に移動可能に構成されている。
【００２３】
また、前記支持シャフト１０が貫通し、支持シャフト１０に対して移動し、第２のフランジ１０ｂに当接する第１の調整ねじ体１１が設けられている。
また、前記温調ハンドル１１２の回転軸１２には、前記第１の調整ねじ体１１と螺合する第２の調整ねじ体１３が設けられている。
前記第２の調整ねじ体１３は、温調ハンドル１１２の回転軸１２を回動させることにより一体に回動し、この第２の調整ねじ体１３と螺合する第１の調整ねじ体１１を、支持シャフト１０に沿って移動させる（図１において第１の調整ねじ体１１は、左右方向に移動する）。
【００２４】
前記第１の調整ねじ体１１が支持シャフト１０に沿って移動し、前記第１の調整ねじ体１１の底面１１ａが支持シャフト１０の第２のフランジ１０ｂに当接するまでは、前記支持シャフト１０は移動しない。
一方、前記第１の調整ねじ体１１の底面１１ａが、支持シャフト１０の第２のフランジ１０ｂに当接した後は、前記支持シャフト１０は移動し、バイアスバネ９を圧縮し、制御弁体７を移動させる。
これにより、湯弁５及び水弁６が移動し、湯流入口Ｈおよび前記水流入口Ｃの開閉割合を変化させる。
【００２５】
また、第１の調整ねじ体１１の内側底面に一端が係止された引き上げバネ１４が設けられている。この引き上げバネ１４の他端は、支持シャフト１０の上端部に係止されている。
この引き上げバネ１４は、温調ハンドル１１２の回転軸１２を元の状態へ回動させた際、前記支持シャフト１０を引き上げ、元の状態に復帰させるためのものである。
【００２６】
そして、これらにより構成される制御弁機構は、温調ハンドル１１２の回動操作により、第１の調整ネジ体１１が引き上げられている状態（図１の左側に位置している状態）のときには、制御弁体７が湯流入口Ｈを閉め切り、水が吐出される設定となる。
また、第１の調整ネジ体１１が、引き上げられている状態から最も移動している状態（図１において最も右に移動している状態）のときには、制御弁体７が水流入口Ｃを閉め切り、高温の湯を吐出する設定となるように構成されている。
【００２７】
また、温調ハンドル１１２の操作により、使用者が望む温度の混合水が吐出されるように、制御弁機構は、湯流入口Ｈおよび水流入口Ｃの開閉割合を変化させ、湯流入口Ｈから流入する湯と、水流入口Ｃから流入する水との混合比を調整する。
そして、制御弁機構が、利用者の望む設定温度の混合水を吐出させるように制御弁体７の位置を設定している状態において、水圧の低下などで流入してくる水の流量が減少し、それにより混合室１５内における混合水の温度が上昇したとすると、以下のように制御弁体７を制御する。
【００２８】
具体的には、上述のような状態において、混合室１５内における混合水の温度が上昇してくると、それを感知する感温バネ８が発生荷重を大きくするよう作動する。感温バネ８が発生荷重を大きくするよう作動すると、バイアスバネ９が押し縮められ制御弁体７が湯弁座３側に付勢される。
これにより、湯弁座３と湯弁５との間隔が狭くなり湯の流入量を減少させる。また、一方、水弁座４と水弁６との間隔が広くなり水の流入量を増加させる。この結果、制御弁機構は、混合水の温度を低下させる。
【００２９】
また、制御弁機構が、所望の設定温度の混合水を吐出させるように制御弁体７の位置を設定している状態において、水圧の上昇などで流入してくる水の流量が増大し、混合室１５内の混合水の温度が低下したとすると、以下のように制御弁体７を制御する。
具体的には、水圧の上昇などで流入してくる水の流量が増大し、混合室１５内の混合水の温度が低下してきた場合、それを感知するバネである感温バネ８が発生荷重を小さくするように作動する。そして、感温バネ８が発生荷重を小さくするよう作動すると、減少した荷重分だけバイアスバネ９が伸び出して制御弁体７を水弁座４側に付勢する。
これにより、湯弁座３と湯弁５との間隔が広くなり湯の流入量を増加させる。また、一方、水弁座４と水弁６との間隔が狭く、水の流入量を減少させる。これにより低下してきた混合水の温度を上昇させる。
【００３０】
このように構成された湯水混合栓１は、前記温調ハンドル１１２（回転軸１２）が、基準温度を基点Ｐとして一方側に１００度以下回動することによって、前記制御弁体７が前記湯流入口Ｈを完全に閉じ、かつ、他方側に１００度以下回動することによって、前記制御弁体７が前記湯流入口Ｈを完全に開くように構成されている。
好ましくは、前記温調ハンドル１１２（回転軸１２）が、基準温度を基点Ｐとして一方向に９０度以下回動することによって、前記制御弁体７が前記湯流入口Ｈを完全に閉じ、かつ、他方向に９０度以下回動することによって、前記制御弁体７が前記湯流入口Ｈを完全に開くように構成するのが良い。
【００３１】
即ち、図２に示すように、例えば、一般的に用いられる温度４０℃を基準点Ｐ（温調ハンドル１１２の回動角度０度）として、温調ハンドル１１２をθ１（１００度以下）の角度、回動させることにより、温度４０℃より低い温度の水（例えば、湯が混合されていない状態の２０℃の水）に設定される。
【００３２】
一方、温調ハンドル１１２をθ２（１００度以下）回動させることにより、温度４０℃より高い温度の湯（例えば、水が混合されていない状態の５０℃の湯）に設定される。
即ち、吐出される混合水が、温調ハンドル１１２の２００度以下の角度を回動させることにより、例えば、２０℃〜５０℃の温度の混合水（水〜混合水〜湯）が得られるように、設定される。
【００３３】
また、前記温調ハンドル１１２は、前記制御弁体７が前記湯流入口Ｈを完全に閉じた状態で更にθ３の角度（少なくとも２０度）回動するように構成されている。また、前記温調ハンドル１１２は、前記制御弁体７が前記湯流入口Ｈを完全に開いた状態で，更にθ４の角度（少なくとも２０度）回動するように構成されている。
このように、最低温度状態と最高温度状態を維持する領域として、温調ハンドル１１２はθ３、θ４（少なくとも各２０度）を有している。そのため、前記温調ハンドル１１２を回動させた際、急激な温度上昇あるいは急激な温度下降がなく、使用し易く、操作も容易である。
【００３４】
前記温調ハンドル１１２の回動域を小さくするには、種々の方法が考えられるが、従来の湯水混合栓の基本的構成を変えることなく、構成する部品の一部を交換することによってなすには、例えば、図１に示すように、前記調整ねじ体１１の底面１１ａが支持シャフト１０の第２のフランジ１０ｂに当接するまでの距離寸法Ｌ１を短くすることによって達成される。
即ち、この距離寸法Ｌ１は、温調ハンドル１１２を回動させた際、急激な温度上昇がないように設けられており、この距離寸法Ｌ１を全く形成しないことは好ましくない。この最低温度状態（水のみが供給される状態）を維持する領域として、温調ハンドル１１２の回動角度として、少なくとも２０度形成することによって、操作性が向上し、不用意に急激な温度上昇となることを抑制することができる。
【００３５】
次に、第１の調整ねじ体１１及び第２の調整ねじ体１３の螺合するリード角をより大きくすることによって、前記温調ハンドル１１２（回転軸１２）の回動域を小さくすることができる。
即ち、温調ハンドル１１２の僅かの回動で、制御弁体７を大きく移動させることができ、前記距離寸法Ｌ１に要する回動角度を小さくすることができる。
【００３６】
また、支持シャフト１０に形成された第１のフランジ１０ａの厚さをより厚く形成することによって、前記温調ハンドル１１２の回動域を小さくすることができる。
即ち、第１のフランジ１０ａの厚さをより厚くすることにより、温調ハンドルの僅かの回動でバイアスバネ９を圧縮することができる。（高温設定ができる）
しかしながら、この第１のフランジ１０ａの厚さは、バイアスバネ９の圧縮量を考慮して、前記温調ハンドル１１２の僅かな回動角度の変化によって、急激な温度変化をもたらすことがないように設定される。
【００３７】
ここで、第１のフランジ１０ａの厚さは、水〜湯に至る温度変化において温度上昇率の最大値が回動角度１度で０．２℃／度以下（３８〜４２℃の吐水温度領域）となるように設定する必要がある。
このように条件を満足するように設定されている場合には、温調ハンドル１１２を操作した際にも、急激な混合水の温度上昇を抑制することができる。
【００３８】
また、バイアスバネ９の定数をより大きくすることにより、前記温調ハンドル１１２の回動域を小さくすることができる。即ち、温調ハンドル１１２の僅かの回動で高温設定ができる。
しかしながら、バイアスバネ９の定数は、前記温調ハンドル１１２の僅かな回動角度の変化によって、急激な温度変化をもたらすことがないように、上記したように、温度上昇率の最大値が回動角度１度で０．２℃／度以下（３８〜４２℃の吐水温度領域）となるように、バイアスバネ９の定数を設定する必要がある。
【００３９】
更に、湯流入口Ｈと水流入口Ｃの間隔寸法Ｌ２を短くすることにより、制御弁体７の移動距離を短くすることができ、前記間隔寸法Ｌ２に要する回動角度を小さくすることができる。
しかしながら、前記温調ハンドル１１２の僅かな回動角度の変化によって、急激な温度変化をもたらすため、上記したように温度上昇率の最大値が回動角度１度で０．２℃／度以下（３８〜４２℃の吐水温度領域）となるように、前記間隔寸法Ｌ２を設定する必要がある。
【実施例】
【００４０】
図１に示した、支持シャフトに形成された第１のフランジ１０ａの厚さを、２．０ｍｍとした湯水混合栓を作成した（実施例）。
また、比較例において、第１のフランジの厚さを、１．５ｍｍのものに交換し、その他は比較例と同一の部品を用いた湯水混合栓を作成した（比較例）。
そして、湯水混合栓に供給される水の温度を２０℃、湯の温度を５０℃とし、温調ハンドル１１２の回動角度と、混合水温度の関係を確認した。
その結果を、図３に示す。
【００４１】
図３に示すように、比較例では、温度４０℃を温調ハンドル１１２の回動角度０度として、温調ハンドル１１２を−１１０度回動させることにより、湯が混合されていない状態の２０℃の水が導出される状態になった。
一方、実施例では、温度４０℃を温調ハンドル１１２の回動角度０度として、温調ハンドル１１２を−８０度回動させることにより、湯が混合されていない状態の２０℃の水が導出される状態になった。
【００４２】
また、比較例、実施例共に、温度４０℃を温調ハンドル１１２の回動角度０度として、温調ハンドル１１２を１００度回動させることにより、水が混合されていない状態の５０℃の湯が導出される状態になった。
【００４３】
したがって、２０℃〜５０℃の温度の混合水（水〜混合水〜湯）を得るには、実施例では温調ハンドル１１２の回動角度が１８０度、比較例では温調ハンドルの回動角度が２１０度となり、温調ハンドル１１２の回動角度を３０度少なくすることができることが確認された。
【００４４】
また、温調ハンドル１１２の回動角度に対する、温度上昇率の最大値（図３におけるＡ）が回動角度１度で０．８℃／度であり、実施例と比較例は変化がないことが確認された。
また、実施例における３８〜４２℃の吐水温度領域では、前記温調１１２の回動角度に対する、温度上昇率の最大値が回動角度１度で０．２℃／度以下であり、比較例では、回動角度１度で０．３℃／度以下であった。
これから分かるように、実施例の方が回動角度１度あたりの温度変化が少なく、好適に使用できることが確認された。
【００４５】
更に、実施例にあっては、前記温調ハンドル１１２が湯流入口Ｈを完全に閉じた状態から更に３０度回動し、湯流入口Ｈを完全に開いた状態から更に２０度回動しうるように構成することにより、前記温調ハンドル１１２の回動域が、２４０度以下の２３０度になされている。
【符号の説明】
【００４６】
１        湯水混合栓
２        ケーシング
３        湯弁座
４        水弁座
５        湯弁
６        水弁
７        制御本体
８        感温バネ
９        バイアスバネ
１０      支持シャフト
１０ａ    第１のフランジ
１０ｂ    第２のフランジ
１１      第１の調整ねじ体
１２      回転軸
１３      第２の調整ねじ体
１４      引き上げバネ
１５      混合室
Ｃ        水流入口
Ｈ        湯流入口
【図１】
0006512628.tif 000002
【図２】
0006512628.tif 000003
【図３】
0006512628.tif 000004
【図４】
0006512628.tif 000005
【図５】
0006512628.tif 000006
【図６】
0006512628.tif 000007